(57)【要約】【課題】  深い地中の自然エネルギを有効に活用して夏季に涼しく、冬季には暖かい空気を換気できる建物換気装置を提供することを目的とする。【解決手段】  太陽電池で換気ファンを駆動するとともに、たとえば渦巻き状の換気チューブを地中温度が１３℃に安定する地下約１０ｍに配置して循環させる。【選択図】図１
2012088030.tif 000002
【特許請求の範囲】
【請求項１】
太陽光パネル２２で太陽光発電された電源を供給される換気ファン１８（１９）と、建物から地表を介して地中に導かれ、かつ約１０ｍ深さに導かれ埋設された十分な換気エリアを有する換気エリアチューブ５を有し、地中から地表に導出され、建物内に設置される換気チューブ４、１７（１０，１６）とからなり、地中から建物内に配置された排出された排出用の換気チューブ１７に前記換気ファン１８（１９）を設置し、建物１の部屋２（３）に地中からの約１３℃の空気が換気されることを特徴とする建物換気装置。
【請求項２】
前記換気エリアチューブ５は、地中約１０ｍの深さに平面的に、または上下状に立体的に配置されることを特徴とする請求項１の住宅換気装置。
【請求項３】
前記換気エリアチューブは、渦巻き状で二段構造であることを特徴とする請求項１または請求項２に記載の建物換気装置。
【請求項４】
前記換気エリアチューブは、直径約１ｍであることを特徴とする請求項１から請求項３に記載の建物換気装置。
【発明の詳細な説明】
【技術分野】
【０００１】  本発明は、建物の換気装置に関し、特に夏季に涼しい空気を、冬季には暖かい空気を簡単な構造で且つ安価経済的に換気をする建物換気装置に関する。
【背景技術】
【０００２】  本発明に近似したものに特許文献公報に開示の換気装置がある。この従来のものは温室で新鮮な外気を大幅に昇温させ、次に蓄積容量の大きい地盤を通過させるものである。地熱効果を充分得るために地盤面以下１．５ｍ程度にヒートチューブ埋設いたものがある。しかし夏の熱除去効果がわずかで地中熱では充分な十分効果が得られていない。
【先行技術文献】
【特許文献】
【０００３】
【特許文献】特開２０１０−２０３６５７号公報
【発明の概要】
【発明が解決しようとする課題】
【０００４】  本発明は深い地中の自然エネルギを有効に活用して夏季に涼しく、冬季には暖かい空気を換気できる建物換気装置を提供することを目的とする。
【課題を解決するための手段】
【０００５】  本発明は、換気チューブを地中温度が１３℃に安定する地下約１０ｍに配置する。夏には建物にこの安定した冷気を、冬には暖かい空気を地中から循環する換気ファンには太陽発電により供給される電力供給する。また換気エリアチューブを地中の約１０ｍの域に平面的にまたは立体的に上下方向に必要に応じて十分な換気エリア幅広く得られるように、たとえば渦巻き状に、つづら折れ（波長状）、ジグザク状、千鳥状に設置する。
【発明の効果】
【０００６】  上述のように本発明の装置は、公共電気供給を必要とせず自然太陽光発電を利用しているので、経済的である。地中深く約１０ｍの温度が約１３℃の一定温度であることを利用して、簡単な構造で必要に応じて、たとえば直径１ｍの換気エリアを設け、ここに換気チューブを渦巻き状平面的に配置して換気エリアを長く確保し、更に二段の構造にして更に長さを確保する構造としているので、夏は涼しい換気空気、冬には暖かい換気空気を循環させ地中から一定温度の自然エネルギが利用できる。工事費も安価で、自然エネルギを利用するので経済的である。
【図面の簡単な説明】
【０００７】
【図１】は本発明の概要を説明する図である。
【図２】は本発明に係る一実施例の換気エリアチューブを地中に渦巻き状に、二段構造で配置した状態を説明する平面図である。
【図３】は建物の部屋に吸入、排気の換気チューブの使い方を説明する例示の図である。
【図４】は換気エリアチューブの変形例の図である。
【発明を実施するための形態】
【０００８】  太陽電池発電を利用して換気するとともに換気チューブを地中約１０ｍの深さに埋設して約１３℃の自然エネルギを得るべく換気に必要な大きさ（長さ）の形状とした。
【実施例】
【０００９】  以下に本発明の一実施例について図１から図５を参考にして詳細に説明する。
１は２階建ての家、２はその家の１階、３は２階である。４は換気用の吸入側の換気チューブ、５は換気チューブ４が地表６から地中７に深さＡの底に埋設された底部の換気エリアチューブでこの一実施例では、直径Ｂの大きさで平面状に配置されている（図２参照）。この実施例ではＡは１０ｍ，Ｂは約１ｍである。図２では渦巻き状の形状の二段構造で示している。二段にすれば、換気エリアチューブの換気効果は向上する。直径１ｍの穴を約１０ｍ掘削し埋設する。図４に示すようにたとえば、変形例として換気エリアチューブ５の換気エリアを大きくするためにつづら折（波長状）のような形状にしてもよい。また必要に応じて上下方向の立体的にしてもよい。チューブ５の両端部８、９は図２に示すように二段構造とし中央に導き上方に引き上げるように設置する。換気チューブは直径１０ｃｍのたとえばポリカーボネート製（他のプラスチック製でも金属製でも良い）である。図２を参考にすると、地表６から地中深く１０ｍ導かれ平面的に二段に配置された換気エリアチューブ５の上側５Ａに地中のチューブ１０は渦巻き部１２の中央に導かれ、外側にグルグル巻きにされ渦巻き部１２の適当な長さを経ての外側端部１３から下側の渦巻き上の換気エリアチューブ５Ｂの外側端部１４に接続され内側に渦巻状にグルグル巻きされ中央部１５を経て中央に導かれ排気換気チューブ１６として地表６に深さＡの長さを経て地上に導かれるように配置される。このような構造で換気エリアチューブ５は十分な換気効果が得られる必要な長さ（大きさ）を確保している。また直径は１０ｃｍに限られることはないことは自明であろう。【００１０】  地上の換気チューブ１７は家１に１階２、２階３に配置され換気ファン１８、１９を介して室内に約１３℃の換気空気が噴出され、矢印のように室内を循環する。部屋２，３の夏季の暑い空気は吸入口２０、２１から換気ファン１８、１９の影響で自動的に吸入換気チューブ４内に吸い込まれる。吸入換気チューブ４と排気換気チューブ１７は、図３に示すように平列配置され、排気換気チューブ１７に取り付けられた換気ファン１８、１９から噴出された地中約１３℃の自然エネルギ空気が部屋２，３内を矢印のように還流して並列配置された吸入換気チューブ４に吸い込まれるようになる。【００１１】  換気ファン８、１９は１図に示すように太陽光を受けるように、たとえば建物１の屋根に設置された太陽電池パネル２２で太陽光発電され、コントローラ２３を介して電源供給され駆動される。コントローラ２３にはバッテリ（図示しない）が内蔵されておりに日中は太陽電池パネル２２より充電され換気ファン１８、１９を駆動する。大きな換気ファンの出力が必要であれば、太陽光パネル２２を大きくすればよいことは当業者に明らかであろう。太陽光発電を利用しているので電源供給が容易に安価にできる。【００１２】  地中１０ｍでは、地中温度は約１３℃で一定していることは良く知られている。たとえばこの地中で直径１ｍ程度の換気エリアチューブ５の渦巻き長さ（二段構造）を介して約１３℃の一定温度の空気が太陽光発電の発電電力で駆動される換気ファンで地上に導かれ、各部屋に約１３℃の自然エネルギ換気空気が満たされる。この空気は夏には冷たい空気であり、たとえば零下の冬には暖かい空気が導出され、地上の部屋２，３に噴出され循環される。  地中の所定のエリアを必要とする換気エリアチューブ５の大きさＢはこの実施例では１ｍで説明したが、必要によって拡大縮小でき、またこの実施例のように二段構造に限られるものではないが通常の場合で十分な長さをえられるであろうし、同じ渦巻き状の形状に限定されない。冷暖房機器を主力として稼動することは無いので経済的効果が大きい。
【産業上の利用可能性】
【００１３】  上記のように本発明は、太陽電池発電を利用しているので、省資源に役立ち、換気ファン電源供給が簡単安価に出来る。地中１０ｍの深さの地中の温度約１３℃の自然エネルギを簡単な構成で必要に応じたエリアで必要な長さの換気エリアチューブを配置して利用している。  安価で簡単な構成な本発明は、国内幅広い建物、家庭で経済的利用効果をあげえる。
【符号の説明】
【００１４】５    地中の換気エリアチューブ
４，１０  吸入換気チューブ
１６，１７  排気換気チューブ
１８，１９  換気ファン
２２  太陽電池パネル
【図１】
2012088030.tif 000003
【図２】
2012088030.tif 000004
【図３】
2012088030.tif 000005
【図４】
2012088030.tif 000006